(57)【要約】【課題】接続済配線・配管やループ状等の端の無い対象物であっても、連続的にテープを巻回でき、且つ現場作業にも好適なテーピング装置を提供する。【解決手段】中心部に設ける対象物の受入穴Ｈを側方に開く分離状態と、該分離状態を閉じて受入穴Ｈを見込む環状とする一体化状態とに変更可能とした分割回転体Ａと、この分割回転体Ａを、一体化状態を保持して回転させる回転駆動機構Ｂと、分割回転体Ａと供回りし、テープＴの引出しによるテープロールＲの自転を許容するテープホルダーＣとを設け、対象物を受入穴Ｈの軸方向に相対的に移動させることにより、テープＴを対象物の外周に連続的に巻回できるようにした。【選択図】図１
2005162428.tif 000002
【特許請求の範囲】
【請求項１】
中心部に設ける対象物の受入穴を側方に開く分離状態と、該分離状態を閉じて前記受入穴を見込む環状とする一体化状態とに変更可能とした分割回転体と、
この分割回転体を、一体化状態を保持して回転させる回転駆動機構と、
前記分割回転体と供回りし、テープの引出しによるテープロールの自転を許容するテープホルダーとを
含むことを特徴とするテーピング装置。
【請求項２】
前記分割回転体は、該分割回転体の径方向外方の軸回りに展開可能な第１及び第２分割ケーシングに各々保持される第１及び第２部分環状体から成る請求項１記載のテーピング装置。
【請求項３】
前記回転駆動機構は、第１及び第２部分環状体の回転方向に沿って設けるレールに摺動し、第１及び第２分割ケーシングに支持する複数のガイドローラと、第１及び第２部分環状体の外周に設けるギアに噛み合う伝達ギアとを含む請求項２記載のテーピング装置。
【請求項４】
前記テープホルダーは、前記分割回転体の回転軸に対するテープロールの傾き角を可変とする首振り機構を介して前記分割回転体に支持している請求項１〜３何れか一記載のテーピング装置。
【発明の詳細な説明】
【技術分野】
【０００１】
本発明は、電気製品、電気設備、車両電装品等の配線や、空調機器、水道設備、ガス設備等の配管或は、ハンドル、手すり、作業機器、遊具、スポーツ用品等の外周に、結束、絶縁、保護、滑止め等のためにテープを巻回するテーピング装置に関する。特に、接続済みの配線や配管、ループ状の対象物にも良好に適用できるハンディタイプのものに関する。
【背景技術】
【０００２】
この種のテーピング装置として、例えば特許文献１記載のものが知られている。このものは、図６に示すように、ループ状の対象物Ｗの受入口Ｊを円周上一部に設けたカム部材Ｋと、このカム部材Ｋの溝に掛け渡す伸縮自在なベルトＶと、カム部材Ｋの外方に配置し、前記受入口Ｊを横切るベルトＶと受入れるべき対象物Ｗの外面との間にテープロールＲからテープＴを送出する複数のテープ送出ローラＤと、この送出するテープＴを所定長さ毎に裁断するカッターＮとを備え、ベルトＶの上からカム部材Ｋの中心部に対象物Ｗを押し込み、カム部材Ｋの回転により、所定長さに裁断したテープＴを対象物Ｗの外周に断続的に巻回するようにしている。
【特許文献１】特開平１０−１８２０１６号公報
【発明の開示】
【発明が解決しようとする課題】
【０００３】
しかし、特許文献１記載のものは、カッターＮにより所定長さ毎に裁断したテープＴを対象物Ｗに断続的に巻回するものであるため、十分な巻付強度が得られない問題がある。また、カム部材Ｋの外方に複数のテープ送出ローラＤを設けているため、装置全体が大型化し、現場作業に不向きとなる問題がある。
【０００４】
本発明は、接続済やループ状等の端の無い対象物であっても、連続的にテープを巻回でき、且つ現場作業にも好適なテーピング装置を提供することを課題とする。
【課題を解決するための手段】
【０００５】
請求項１記載の発明は、上記課題を解決するため、図１〜５に例示するように、
中心部に設ける対象物Ｗの受入穴Ｈを側方に開く分離状態（図1，２）と、該分離状態を閉じて前記受入穴Ｈを見込む環状とする一体化状態（図３，４）とに変更可能とした分割回転体Ａと、
この分割回転体Ａを、一体化状態を保持して回転させる回転駆動機構Ｂと、
前記分割回転体Ａと供回りし、テープＴの引出しによるテープロールＲの自転を許容するテープホルダーＣとを含むものとした。
【０００６】
請求項２記載の発明は、前記分割回転体Ａの分離及び一体化を簡易に行うため、前記分割回転体Ａは、該分割回転体Ａの径方向外方の軸回りに展開可能な第１及び第２分割ケーシング３，４に各々保持される第１及び第２部分環状体１，２から成るものとした。
【０００７】
請求項３記載の発明は、加えて、小型化を図りつつ前記分割回転体Ａを円滑に回転させるため、前記回転駆動機構Ｂは、第１及び第２部分環状体１，２の回転方向に沿って設けるレール１１，２１に摺動し、第１及び第２分割ケーシング３，４に支持する複数のガイドローラ７と、第１及び第２部分環状体１，２の外周に設けるギア１２，２２に噛み合う伝達ギア６０とを含むものとした。
【０００８】
請求項４記載の発明は、対象物Ｗに対するテープＴの巻回を一層良好にするため、前記テープホルダーＣは、前記分割回転体Ａの回転軸ｏに対するテープロールＲの傾き角を可変とする首振り機構９を介して前記分割回転体Ａに支持した。
【発明の効果】
【０００９】
請求項１記載の発明によれば、図１，２に例示するように、分割回転体Ａを中心部の受入穴Ｈが側方に開く分離状態にして、対象物Ｗを受入穴Ｈに受入れる。次に、図３に例示するように、分割回転体Ａを、その分離状態を閉じて受入穴Ｈを見込む環状とする一体化状態にする。そして、図４，５に例示するように、回転駆動機構Ｂにより、分割回転体Ａを一体化状態を保持して回転させる。この分割回転体Ａの回転に伴い、テープホルダーＣは供回りし、テープロールＲは自転しながら対象物Ｗの周りを公転し、テープロールＲから引出されるテープＴは対象物Ｗの外周に巻回される。対象物Ｗを受入穴Ｈの軸方向に相対的に移動させることにより、テープＴを対象物Ｗの外周に連続的且つ簡易に巻回することができる。
【００１０】
請求項２記載の発明によれば、図１，２に例示するように、第１分割ケーシング３と第２分割ケーシング４とを展開することにより、これら各ケーシング３，４に保持される第１部分環状体１と第２部分環状体２とは展開の軸を中心に口を開くように分離される。また、図３に例示するように、各ケーシング３，４の展開を閉じることにより、各部分環状体１，２は展開の軸を中心に口を閉じるように一体化される。こうして、分割回転体Ａの分離及び一体化が簡易に行え、作業を簡易且つ安全に行える。
【００１１】
請求項３記載の発明によれば、図４に例示するように、各部分環状体１，２は、それぞれに設けるレール１１，２１を介して各ケーシング３，４に支持する複数のガイドローラ７と滑りながら回転方向ａに案内され、各外周に設けるギア１２，２２に伝達ギア６０が噛み合いながら回転する。これにより、各部分環状体１，２は、その一体化状態を良好に保ちながら移動し、コンパクトながら円滑に回転する。
【００１２】
請求項４記載の発明によれば、図４，５に例示するように、分割回転体Ａの回転によるテープＴの巻回に伴い、対象物Ｗは分割回転体Ａの受入穴Ｈ内においてテープロールＲ側に引寄せられる。そして、テープホルダーＣは首振り機構９を介してテープロールＲの傾き角を分割回転体Ａの回転軸ｏに対し変更し、テープＴは円滑に引出されて対象物Ｗに巻回される。これにより、対象物Ｗに対するテープＴの巻回が一層良好に行える。
【発明を実施するための最良の形態】
【００１３】
図１において、Ａは、半割り構造の第１部分環状体１及び第２部分環状体２から成る分割回転体である。各部分環状体１，２は、中心部に対象物Ｗの受入穴Ｈを形成する半円穴１０，２０を、環状部に回転方向に沿う凹溝から成るレール１１，２１を、外周部にギア１２，２２を備える。Ｂは、各部分環状体１，２を円形の一体化状態を保持して回転させる回転駆動機構であり、直流モータ等から成る駆動源５、前記ギア１２，２２に出力軸６１の伝達ギア６０を噛み合わせる減速機６、前記レール１１，２１内に摺動する複数のガイドローラ７を含む。Ｃは、テープＴの引出しによるテープロールＲの自転を許容するテープホルダーであり、第２部分環状体２にボルト２４止めするアーム２３に支持している。
【００１４】
第１部分環状体１は、受入穴Ｈに対応する半円穴３０をもつ矩形ベース３１と、ギア１２を覆うに足る抜き穴３２０をもつ箱型カバー３２とから成る第１分割ケーシング３に保持している。第２部分環状体２は、受入穴Ｈに対応する半円穴４０をもつ半円状ベース４１と、ギア２２を覆うに足る抜き穴４２０をもつ半円状カバー４２とから成る第２分割ケーシング４に保持している。
【００１５】
図２に示すように、一方側の部分環状体例えば第１部分環状体１は、そのレール１１に矩形ベース３１に支持する第１〜第３ガイドローラ７１，７２，７３を滑り嵌合させている。他方側の第２部分環状体２は、そのレール２１に半円状ベース４１に支持する第４〜第６ガイドローラ７４，７５，７６を滑り嵌合させている。第１及び第２分割ケーシング３，４は、各ベース３１，４１間を連結する展開軸部３５を介して展開及び収納可能としている。ケーシング３，４の動きに連動して、第１及び第２部分環状体１，２は、受入穴Ｈを側方に開く分離状態と、これを閉じる一体化状態とに姿勢変更される。
【００１６】
図３に示すように、第１及び第２部分環状体１，２の一体化状態では、各レール１１，２１及び各ギア１２，２２は円形に連続する。実作動に際しては、各ケーシング３，４を、一対の係止片８１，８２をもつ例えばパッチン錠等の締結具８により締結し、その一体化状態をロックする。回転開始前にテープロールＲから手でテープＴを引出して、白抜き矢印ｓのように対象物Ｗの外面にあてがう。この後、駆動源５を作動させて第１及び第２部分環状体１，２を回転方向ａに回転させる。回転速度は例えば毎秒１〜３回転程度が良い。
【００１７】
図４に示すように、第１及び第２部分環状体１，２が回転すると、第１部分環状体１のレール１１には第２分割ケーシング４側のガイドローラ７４・・・も滑り嵌合し、第２部分環状体２のレール２１には第１分割ケーシング３側のガイドローラ７１・・・も滑り嵌合する。部分環状体１，２の回転によるテープＴの巻回に伴い、対象物Ｗは受入穴Ｈ内においてテープロールＲ側に引寄せられる。
【００１８】
図５に示すように、テープホルダーＣは、そのホルダーベース９１の基部９１ａをアーム２３に立設したＬ形片２３０の揺動軸部９０に首振り自在に支持している。この首振り機構９により、テープロールＲの傾き角を部分環状体１，２の回転軸ｏに対して可変としている。テープＴの巻回に伴う対象物ＷとテープロールＲとの引寄せ力により、テープロールＲの傾き角が変わり、テープＴは円滑に引出される。尚、揺動軸部９０は、テープロールＲの高さ方向中間部に設けてもよい。また、ホルダーベース９１に一体化する筒部９１ｂのネジ９１ｓに蓋体９６のネジ９６ｓを螺合しており、その締込み力の調整により、テープロールＲの自転の容易さを変え、対象物Ｗに対するテープＴの巻付け力を調整できるようにしている。図５中、７ａは各ローラ７のネジ付支持軸、７ｂは固定具である。
【００１９】
対象物Ｗに対するテープＴの巻回作業が終わると、図３に示すように、一方側の部分環状体１のレール１１は何れか一方側の分割ケーシング３のガイドローラ７１，７２，７３のみと嵌合し、他方側の部分環状体２のレール２１は他方側の分割ケーシング４のガイドローラ７４，７５，７６のみと嵌合した状態となるよう、手動にて各部分環状体１，２を動かす。この後、図２のように分離して対象物Ｗを取り出す。尚、図３のような分離可能位置をセンサ等により検出し、この位置で駆動源５をオフする制御装置を設けてもよい。
【図面の簡単な説明】
【００２０】
【図１】本発明テーピング装置の斜視図。
【図２】同分割回転体の分離状態を示す断面図。
【図３】同分割回転体の一体化状態を示す断面図。
【図４】同分割回転体の回転状態を示す断面図。
【図５】図４のＸ−Ｘ線で破断した断面図。
【図６】従来装置の説明図。
【符号の説明】
【００２１】
Ａ  分割回転体、１  第１部分環状体、２  第２部分環状体
Ｂ  回転駆動機構、７  ガイドローラ、６０  伝達ギア
Ｃ  テープホルダー、９  首振り機構
【図１】
2005162428.tif 000003
【図２】
2005162428.tif 000004
【図３】
2005162428.tif 000005
【図４】
2005162428.tif 000006
【図５】
2005162428.tif 000007
【図６】
2005162428.tif 000008